(57)【要約】【課題】本発明は、光ディスクの記録再生を行う光ディスク装置に搭載され、光ディスクに記録されたウォブル信号を高精度に検出することが可能なウォブル信号検出回路、及びこれを用いた光ディスク装置を提供することを目的とする。【解決手段】本発明のウォブル信号検出回路において、サンプルホールド回路１を経て入力される加算信号Ｅ、Ｆの振幅調整を行う第１、第２ＡＧＣ４ａ、５ａは、利得制御信号に応じた利得で加算信号Ｅ、Ｆを増幅するＧＣＡ４１、５１と、ＧＣＡ４１、５１で得られる増幅信号の振幅が所定レベルとなるように前記利得制御信号を生成するＤＥＴ４２、５２と、利得制御ループ内に設けられ、光ディスクの再生時はハイパスフィルタとして機能し、記録時はローパスフィルタとして機能する帯域可変フィルタ４３、５３と、を有して成る構成としている。【選択図】      図１
2004259337.tif 000002
【特許請求の範囲】
【請求項１】
プリグルーブが形成された光ディスクの再生時及び記録時、ピックアップで検出された前記プリグルーブ左右の反射光が分割受光信号として入力され、前記光ディスクの再生時は前記分割受光信号を各々そのまま出力し、記録時には前記分割受光信号を各々サンプルホールドして出力するサンプルホールド回路と、該サンプルホールド回路を経て入力される分割受光信号各々の振幅調整をそれぞれ行う第１及び第２の自動利得制御回路と、該第１及び第２の自動利得制御回路を経てそれぞれ入力される分割受光信号の差分を算出して前記プリグルーブに記録されたウォブル信号を検出する減算器と、を有して成るウォブル信号検出回路において、
前記第１及び第２の自動利得制御回路は、利得制御信号に応じた利得で入力された分割受光信号を増幅する利得制御増幅器と、該利得制御増幅器で得られる増幅信号の振幅が所定レベルとなるように前記利得制御信号を生成する検出器と、前記利得制御増幅器の出力に一端が接続され、前記増幅信号に含まれる信号成分のうち、前記光ディスクの記録再生状態に応じた帯域成分のみを前記検出器に選択通過させる帯域可変フィルタと、をそれぞれ有して成ることを特徴とするウォブル信号検出回路。
【請求項２】
プリグルーブが形成された光ディスクから検出された前記プリグルーブ左右の反射光から得られる分割受光信号の振幅調整をそれぞれ行う第１及び第２の自動利得制御回路と、該第１及び第２の自動利得制御回路を経てそれぞれ入力される分割受光信号の差分を算出して前記プリグルーブに記録されたウォブル信号を検出する減算器と、を有して成るウォブル信号検出回路において、
前記第１及び第２の自動利得制御回路は、利得制御信号に応じた利得で入力された分割受光信号を増幅する利得制御増幅器と、該利得制御増幅器で得られる増幅信号の振幅が所定レベルとなるように前記利得制御信号を生成する検出器と、前記利得制御増幅器の出力と前記減算器の入力を結ぶ信号経路上に設けられたローパスフィルタと、一端が前記利得制御増幅器の出力に接続されたハイパスフィルタと、前記光ディスクの記録再生状態に応じて前記ローパスフィルタと前記ハイパスフィルタの出力信号いずれかを前記検出器に送出する切換器と、をそれぞれ有して成ることを特徴とするウォブル信号検出回路。
【請求項３】
前記第１及び第２の自動利得制御回路は、前記利得制御増幅器の出力と前記ハイパスフィルタの入力との接続ノードから前記ローパスフィルタの入力までの信号経路上に増幅器を有して成ることを特徴とする請求項２に記載のウォブル信号検出回路。
【請求項４】
前記第１及び第２の自動利得制御回路は、前記切換器の出力から前記検出器の入力までの信号経路上にも増幅器を有して成ることを特徴とする請求項３に記載のウォブル信号検出回路。
【請求項５】
光ディスクのプリグルーブに記録されたウォブル信号を検出する手段として、請求項１〜請求項４のいずれかに記載のウォブル信号検出回路を有して成ることを特徴とする光ディスク装置。
【発明の詳細な説明】
【０００１】
【発明の属する技術分野】
本発明は、光ディスクの記録再生を行う光ディスク装置に搭載され、前記光ディスクのプリグルーブに記録されたウォブル信号を検出するウォブル信号検出回路、及びこれを用いた光ディスク装置に関するものである。
【０００２】
【従来の技術】
記録型光ディスク（ＣＤ−Ｒ［ＣＤ−Ｒｅｃｏｒｄａｂｌｅ］やＤＶＤ−Ｒ、ＭＤなど）の記録面には、２２．０５±１［ｋＨｚ］の周波数で蛇行形成されたプリグルーブ（ガイド溝）が刻まれており、該プリグルーブには、ピックアップのトラッキング制御や光ディスクの回転速度制御に必要なトラッキング誤差信号と、記録面上の絶対アドレスを示すＡＴＩＰ［Ａｂｓｏｌｕｔｅ  ＴｉｍｅＩｎ  Ｐｒｅｇｒｏｏｖｅ］信号を併せたウォブル信号が記録されている。そのため、光ディスクの記録再生を行う光ディスク装置には、前記ウォブル信号を検出するためのウォブル信号検出回路が設けられている。
【０００３】
光ディスクの再生時、ウォブル信号検出回路には、再生高周波信号（例えば、５００〜７２０［ｋＨｚ］）とウォブル信号（２２．０５±１［ｋＨｚ］）の重畳信号が入力される。そのため、従来のウォブル信号検出回路は、ピックアップで分割検出されたプリグルーブ左右の受光信号Ｌ、Ｒを互いに減算して不要な再生高周波信号を相殺し、ウォブル信号のみを得る構成とされていた。また、従来のウォブル信号検出回路は、ウォブル信号の再生性能を向上するために、上記の減算処理に先立ち、自動利得制御回路によって受光信号Ｌ、Ｒの振幅を所定レベルにしておく構成とされていた。
【０００４】
一方、光ディスクの記録時には、ピックアップから光ディスクに対して高強度ビーム（信号記録用）と低強度ビーム（ウォブル信号再生用）が交互照射され、ウォブル信号検出回路には、大振幅のライトパルスが重畳されたウォブル信号が入力される。そのため、従来のウォブル信号検出回路は、前記ライトパルスが立ち下がっている間（低強度ビーム出力期間）に得られる受光信号Ｌ、Ｒを各々サンプルホールドし、両サンプルホールド信号Ｌ’、Ｒ’を互いに減算することでサンプリングノイズを相殺して、ウォブル信号のみを得る構成とされていた。
【０００５】
ここで、光ディスク記録時におけるウォブル信号の再生性能を向上するには、光ディスク再生時と同様、上記の減算処理に先立ち、自動利得制御回路によってサンプルホールド信号Ｌ’、Ｒ’の振幅を所定レベルにしておくことが望ましいが、このような自動利得制御を行うと、サンプルホールド信号Ｌ’、Ｒ’に重畳したサンプリングノイズに起因して、意図しない振幅調整が行われてしまうおそれがある。そのため、従来のウォブル信号検出回路は、光ディスクの再生時と異なり、その記録時にはサンプルホールド信号Ｌ’、Ｒ’の自動利得制御を行わない構成とされていた。
【０００６】
なお、サンプルホールド信号Ｌ’、Ｒ’の自動利得制御を行うことなく、サンプリングノイズを効果的に除去する従来技術としては、上記の減算処理を行う減算器の前段にローパスフィルタ（またはゲイン調整回路）を有し、該ローパスフィルタを光ディスクの記録／再生に応じてオン／オフさせるウォブル信号検出回路が開示・提案されている（例えば、特許文献１を参照）。
【０００７】
【特許文献１】
特開２００１−９３１４７号公報
【０００８】
【発明が解決しようとする課題】
確かに、上記文献のウォブル信号検出回路であれば、光ディスクの記録時にローパスフィルタをオンすることによって、サンプルホールド信号Ｌ’、Ｒ’に重畳するサンプリングノイズの振幅がばらついた場合でも、その除去を効果的に行うことができるので、ウォブル信号の再生性能を向上することが可能である。
【０００９】
しかしながら、上記文献のウォブル信号検出回路は、あくまで減算器によるサンプリングノイズの差動除去処理を補助するために、前記減算器の前段でサンプルホールド信号Ｌ’、Ｒ’の高周波成分をカットしたり、サンプリングノイズの振幅を事前調整したりする構成に過ぎず、光ディスクの記録時にサンプルホールド信号Ｌ’、Ｒ’の自動利得制御を行わない点については、従前の構成と何ら変わりがなかった。
【００１０】
このように、光ディスクの記録時にサンプルホールド信号Ｌ’、Ｒ’の自動利得制御を行わない構成では、ピックアップのレンズずれ等が生じてサンプルホールド信号Ｌ’、Ｒ’の振幅に差が生じた場合、その差が是正されないままに両信号の減算処理が行われてしまうので、サンプリングノイズの相殺効率が低下する上、該振幅差に依存したウォブル信号の振幅ばらつきが生じてダイナミックレンジ的に不利であるという課題を有していた（図５（ａ）を参照）。また、記録済みの光ディスクに新データを上書きする場合、サンプルホールド信号Ｌ’、Ｒ’に重畳する旧データの残存高周波信号を減算器で相殺しきれず、ウォブル信号の再生性能が低下するという課題もあった（図５（ｂ）を参照）。
【００１１】
また、上記文献のウォブル信号検出回路は、光ディスク再生時における受光信号Ｌ、Ｒの自動利得制御に不具合が生じることのないように、光ディスクの再生時にローパスフィルタをオフする構成とされていた。
【００１２】
確かに、上記文献のウォブル信号検出回路であれば、光ディスク再生時の自動利得制御を正常に行うことが可能である。しかしながら、その自動利得制御は、減算器で相殺すべき再生高周波信号のみに基づく厳密なものではなく、受光信号Ｌ、Ｒ（再生高周波信号とウォブル信号の重畳信号）に基づく簡易なものであるため、光ディスク再生時の自動利得制御には不必要なウォブル信号に起因して、再生高周波信号の振幅が所定レベルとならない場合があり、減算器での相殺効率を最大限に向上できないという課題を有していた。かと言って、上記文献のウォブル信号検出回路では、ローパスフィルタがウォブル信号経路上に挿入されていたので、光ディスクの再生時に該ローパスフィルタをハイパスフィルタに切り換える、といった構成を採用することはできなかった。
【００１３】
本発明は、上記の問題点に鑑み、光ディスクに記録されたウォブル信号を高精度に検出することが可能なウォブル信号検出回路、及びこれを用いた光ディスク装置を提供することを目的とする。
【００１４】
【課題を解決するための手段】
上記目的を達成するために、本発明に係るウォブル信号検出回路は、プリグルーブが形成された光ディスクの再生時及び記録時、ピックアップで検出された前記プリグルーブ左右の反射光が分割受光信号として入力され、前記光ディスクの再生時は前記分割受光信号を各々そのまま出力し、記録時には前記分割受光信号を各々サンプルホールドして出力するサンプルホールド回路と、該サンプルホールド回路を経て入力される分割受光信号各々の振幅調整をそれぞれ行う第１及び第２の自動利得制御回路と、該第１及び第２の自動利得制御回路を経てそれぞれ入力される分割受光信号の差分を算出して前記プリグルーブに記録されたウォブル信号を検出する減算器と、を有して成るウォブル信号検出回路において、前記第１及び第２の自動利得制御回路は、利得制御信号に応じた利得で入力された分割受光信号を増幅する利得制御増幅器と、該利得制御増幅器で得られる増幅信号の振幅が所定レベルとなるように前記利得制御信号を生成する検出器と、前記利得制御増幅器の出力に一端が接続され、前記増幅信号に含まれる信号成分のうち前記光ディスクの記録再生状態に応じた帯域成分のみを前記検出器に選択通過させる帯域可変フィルタと、をそれぞれ有して成る構成としている。
【００１５】
また、本発明に係るウォブル信号検出回路は、プリグルーブが形成された光ディスクから検出された前記プリグルーブ左右の反射光から得られる分割受光信号の振幅調整をそれぞれ行う第１及び第２の自動利得制御回路と、該第１及び第２の自動利得制御回路を経てそれぞれ入力される分割受光信号の差分を算出して前記プリグルーブに記録されたウォブル信号を検出する減算器と、を有して成るウォブル信号検出回路において、前記第１及び第２の自動利得制御回路は、利得制御信号に応じた利得で入力された分割受光信号を増幅する利得制御増幅器と、該利得制御増幅器で得られる増幅信号の振幅が所定レベルとなるように前記利得制御信号を生成する検出器と、前記利得制御増幅器の出力と前記減算器の入力を結ぶ信号経路上に設けられたローパスフィルタと、一端が前記利得制御増幅器の出力に接続されたハイパスフィルタと、前記光ディスクの記録再生状態に応じて前記ローパスフィルタと前記ハイパスフィルタの出力信号いずれかを前記検出器に送出する切換器と、をそれぞれ有して成る構成としている。
【００１６】
なお、上記構成から成るウォブル信号検出回路において、前記第１及び第２の自動利得制御回路は、前記利得制御増幅器の出力と前記ハイパスフィルタの入力との接続ノードから前記ローパスフィルタの入力までの信号経路上に増幅器を有して成る構成にするとよい。
【００１７】
また、上記構成から成るウォブル信号検出回路において、前記第１及び第２の自動利得制御回路は、前記切換器の出力から前記検出器の入力までの信号経路上にも増幅器を有して成る構成にするとよい。
【００１８】
また、本発明に係る光ディスク装置は、光ディスクのプリグルーブに記録されたウォブル信号を検出する手段として、上記構成から成るウォブル信号検出回路を有して成る構成としている。
【００１９】
【発明の実施の形態】
まず、本発明に係るウォブル信号検出回路の第１実施形態について詳細に説明する。図１はウォブル信号検出回路の第１実施形態を示すブロック図である。本図に示すように、本実施形態のウォブル信号検出回路は、サンプルホールド回路１と、第１、第２加算器２、３と、第１、第２自動利得制御回路４ａ、５ａ（以下、第１、第２ＡＧＣ［Ａｕｔｏｍａｔｉｃ  Ｇａｉｎ  Ｃｏｎｔｒｏｌｅｒ］４ａ、５ａと呼ぶ）と、差動増幅器６と、バンドパスフィルタ７（以下、ＢＰＦ［Ｂａｎｄ  Ｐａｓｓ  Ｆｉｌｔｅｒ］７と呼ぶ）と、第３自動利得制御回路８ａ（以下、第３ＡＧＣ８ａと呼ぶ）と、を有して成る。
【００２０】
光ディスクの再生時及び記録時、ピックアップの４分割ディテクタ（不図示）で検出されるプリグルーブ左右の反射光は、受光信号Ａ〜Ｄとしてサンプルホールド回路１に入力される。光ディスクの再生時、サンプルホールド回路１は切換信号Ｒ／Ｗに応じてオフとされ、該サンプルホールド回路１からは受光信号Ａ〜Ｄがそのまま出力される。一方、光ディスクの記録時には、サンプルホールド回路１が切換信号Ｒ／Ｗに応じてオンとされ、該サンプルホールド回路１からはサンプルホールド後の受光信号Ａ〜Ｄが出力される。サンプルホールド回路１から出力された受光信号Ａ、Ｂは、第１加算器２で加算され、受光信号Ｃ、Ｄは、第２加算器３で加算される。第１、第２加算器２、３の加算信号Ｅ（＝Ａ＋Ｂ）、Ｆ（＝Ｃ＋Ｄ）は、各々第１、第２ＡＧＣ４ａ、５ａに入力される。
【００２１】
第１、第２ＡＧＣ４ａ、５ａは、利得制御信号に応じた利得で加算信号Ｅ、Ｆを増幅する利得制御増幅器４１、５１（以下、ＧＣＡ［Ｇａｉｎ  Ｃｏｎｔｒｏｌｅｄ  Ａｍｐ］４１、５１と呼ぶ）と、該ＧＣＡ４１、５１で得られる増幅信号Ｇ、Ｈの大きさが所定レベルとなるように前記利得制御信号を生成する検出器４２、５２（以下、ＤＥＴ４２、５２と呼ぶ）と、増幅信号Ｇ、Ｈに含まれる信号成分のうち、切換信号Ｒ／Ｗに応じた帯域成分のみをＤＥＴ４２、５２に選択通過させる帯域可変フィルタ４３、５３と、を有して成る。なお、帯域可変フィルタ４３、５３の通過帯域は、光ディスクの再生時には該帯域可変フィルタ４３、５３がハイパスフィルタとして機能し、記録時にはローパスフィルタとして機能するように、適宜可変制御される。
【００２２】
このような構成とすることにより、光ディスクの再生時には、ハイパスフィルタとして機能する帯域可変フィルタ４３、５３によって、増幅信号Ｇ、Ｈに含まれる信号成分のうち、光ディスク再生時の自動利得制御に必要な再生高周波信号（例えば、５００〜７２０［ｋＨｚ］）のみがＤＥＴ４２、５２に入力されることになる。従って、第１、第２ＡＧＣ４ａ、５ａでは、差動増幅器６で相殺すべき再生高周波信号のみに基づく厳密な自動利得制御を行うことができるようになるので、差動増幅器６での相殺効率を向上させることが可能となる。
【００２３】
一方、光ディスクの記録時には、ローパスフィルタとして機能する帯域可変フィルタ４３、５３によって、増幅信号Ｇ、Ｈに重畳していたサンプリングノイズが除かれ、光ディスク記録時の自動利得制御に必要なウォブル信号（２２．０５±１［ｋＨｚ］）のみがＤＥＴ４２、５２に入力されることになる。従って、第１、第２ＡＧＣ４ａ、５ａでは、サンプリングノイズに起因して、意図しない振幅調整が行われてしまうおそれがないので、光ディスクの記録時でも、サンプルホールド後の加算信号Ｅ、Ｆについて最適な自動利得制御を行うことができる。
【００２４】
このように、光ディスクの記録時にも加算信号Ｅ、Ｆの自動利得制御を行う構成であれば、ピックアップのレンズずれ等が生じて加算信号Ｅ、Ｆの振幅に差が生じた場合でも、第１、第２ＡＧＣ４ａ、５ａでその振幅差を是正することが可能となる。従って、差動増幅器６におけるサンプリングノイズの相殺効率を向上することができる上、該振幅差に依存したウォブル信号の振幅ばらつきを軽減することも可能となる（図２（ａ）を参照）。また、記録済みの光ディスクに新データを上書きする場合でも、加算信号Ｅ、Ｆに重畳する旧データの残存高周波信号を差動増幅器６で精度良く相殺することができるようになるので、ウォブル信号の再生性能を向上することが可能となる（図２（ｂ）を参照）。
【００２５】
また、図１に示す通り、本実施形態の第１、第２ＡＧＣ４ａ、５ａは、帯域可変フィルタ４３、５３をウォブル信号経路上（ＧＣＡ４１、５１と差動増幅器６を結ぶ信号経路上）ではなく、該ウォブル信号経路から引き出された利得制御ループ内（ＤＥＴ４２、５３の直前）に有する構成である。このような構成とすることにより、光ディスクの再生時に帯域可変フィルタ４３、５３をハイパスフィルタとして機能させた場合でも、差動増幅器６に入力される増幅信号Ｇ、Ｈから検出すべきウォブル信号が除かれてしまうおそれはない。
【００２６】
なお、本実施形態のウォブル信号検出回路では、帯域可変フィルタ４３、５３のカットオフ周波数を２倍、３倍、…、ｎ倍することで、２倍速、３倍速、…、ｎ倍速の記録／再生にも容易に対応することが可能である。
【００２７】
第１、第２ＡＧＣ４ａ、５ａで得られた増幅信号Ｇ、Ｈは、各々差動増幅器６の二入力端子に入力されて差動増幅される。このような差動増幅処理により、不要な信号成分（再生周波数信号やサンプリングノイズ）が除かれ、検出すべきウォブル信号Ｉのみが得られる。差動増幅器６で得られたウォブル信号Ｉは、ＢＰＦ７でフィルタリングされた後、第３ＡＧＣ８ａに入力される。第３ＡＧＣ８ａは、利得制御信号に応じた利得でウォブル信号Ｉを増幅する利得制御増幅器８１（以下、ＧＣＡ８１と呼ぶ）と、該ＧＣＡ８１で得られる最終的なウォブル信号Ｊの大きさが所定のレベルとなるように前記利得制御信号を生成する検出器８２（以下、ＤＥＴ８２と呼ぶ）と、を有して成る。このように、差動増幅器６で得られたウォブル信号Ｉについて、ＢＰＦ７によるフィルタリングや第３ＡＧＣ８ａによる再度の自動利得制御を行う構成とすることにより、ウォブル信号の再生性能を一層向上することが可能となる。
【００２８】
次に、本発明に係るウォブル信号検出回路の第２実施形態について詳細に説明する。図３はウォブル信号検出回路の第２実施形態を示すブロック図である。本図に示すように、本実施形態のウォブル信号検出回路は、第１実施形態のウォブル信号検出回路（図１を参照）と同様の構成から成り、第１、第２ＡＧＣ４ｂ、５ｂの内部構成に変更を加えた構成である。そこで、第１実施形態と同様の部分については、図１と同一符号を付すことで説明を省略し、以下では、本実施形態の特徴部分に重点を置いた説明を行うことにする。
【００２９】
本実施形態の第１、第２ＡＧＣ４ｂ、５ｂは、帯域可変フィルタ４３、５３に代えて、ウォブル信号経路上（ＧＣＡ４１、５１と差動増幅器６を結ぶ信号経路上）に設けたローパスフィルタ４４、５４（以下、ＬＰＦ［Ｌｏｗ  Ｐａｓｓ  Ｆｉｌｔｅｒ］４４、５４と呼ぶ）と、ＧＣＡ４１、５１の出力に一端が接続されたハイパスフィルタ４５、５５（以下、ＨＰＦ［Ｈｉｇｈ  Ｐａｓｓ  Ｆｉｌｔｅｒ］４５、５５と呼ぶ）と、切換信号Ｒ／Ｗに応じてＬＰＦ４４、５４とＨＰＦ４５、５５の出力信号いずれかをＤＥＴ４２、５２に送出する切換器４６、５６と、を有して成る。
【００３０】
光ディスクの再生時、切換器４６、５６はＨＰＦ４５、５５の出力信号を選択出力する。このような構成とすることにより、光ディスクの再生時には、ＧＣＡ４１、５１の出力信号に含まれる信号成分のうち、光ディスク再生時の自動利得制御に必要な再生高周波信号のみがＤＥＴ４２、５２に入力されることになる。従って、第１、第２ＡＧＣ４ｂ、５ｂでは、差動増幅器６で相殺すべき再生高周波信号のみに基づく厳密な自動利得制御を行うことができるようになるので、差動増幅器６での相殺効率を向上させることが可能となる。
【００３１】
一方、光ディスクの記録時、切換器４６、５６はＬＰＦ４４、５４の出力信号を選択出力する。このような構成とすることにより、光ディスクの記録時には、ＧＣＡ４１、５１の出力信号に重畳していたサンプリングノイズがＬＰＦ４４、５４によって取り除かれ、光ディスク記録時の自動利得制御に必要なウォブル信号のみがＤＥＴ４２、５２に入力されることになる。従って、第１、第２ＡＧＣ４ｂ、５ｂでは、サンプリングノイズに起因して、意図しない振幅調整が行われてしまうおそれがないので、光ディスクの記録時でも、サンプルホールド後の加算信号Ｅ、Ｆについて最適な自動利得制御を行うことが可能となる。
【００３２】
なお、上記した通り、本実施形態の第１、第２ＡＧＣ４ｂ、５ｂは、ＬＰＦ４４、５４をウォブル信号経路上に有し、ＨＰＦ４５、５５を自動利得制御ループ内に有する構成である。このような構成であれば、光ディスクの再生時に差動増幅器６への入力信号Ｇ、Ｈから検出すべきウォブル信号が除かれてしまうおそれがない上、光ディスクの再生時及び記録時の双方において、差動増幅器６の前段で、上記自動利得制御によって最適に振幅調整されたＧＣＡ４１、５１の出力信号から不要信号成分（再生周波数信号やサンプリングノイズ）を除去しておくことができる。従って、ウォブル信号の再生性能を一層向上することができる。
【００３３】
最後に、本発明に係るウォブル信号検出回路の第３実施形態について詳細に説明する。図４はウォブル信号検出回路の第３実施形態を示すブロック図である。本図に示す通り、本実施形態のウォブル信号検出回路は、第２実施形態のウォブル信号検出回路（図３を参照）と同様の構成から成り、第１、第２ＡＧＣ４ｃ、５ｃの内部構成に変更を加えるとともに、差動増幅器６とＢＰＦ７を第３ＡＧＣ８ｃに一元化して成る構成である。そこで、第２実施形態と同様の部分については、図３と同一符号を付すことで説明を省略し、以下では、本実施形態の特徴部分に重点を置いた説明を行うことにする。
【００３４】
本実施形態の第１、第２ＡＧＣ４ｃ、５ｃは、光ディスクの再生時と記録時で加算信号Ｅ、Ｆの振幅が大きく異なるのでＧＣＡ４１、５１の利得を広範囲に可変制御しなければならない、という課題を解決するための構成であり、ＧＣＡ４１、５１の出力端子とＨＰＦ４５、５５の入力端子との接続ノードからＬＰＦ４４、５４の入力端子までの信号経路上に設けられた増幅器４７、５７（利得：Ｇａ）と、切換器４６、５６の出力端子からＤＥＴ４２、５２の入力端子までの信号経路上に設けられた増幅器４８、５８（利得：Ｇｂ）と、を有して成る。
【００３５】
光ディスクの再生時における加算信号Ｅ、Ｆの振幅（再生高周波信号の振幅）をＶｒとし、ＧＣＡ４１、５１の利得をＧｒとすると、ＤＥＴ４２、５２に入力されるループ信号の振幅Ｖｘは、次の（１）式で求められる値となる。また、光ディスクの記録時における加算信号Ｅ、Ｆの振幅（ウォブル信号の振幅）をＶｗとし、ＧＣＡ４１、５１の利得をＧｗとすると、ＤＥＴ４２、５２に入力されるループ信号の振幅Ｖｙは、次の（２）式で求められる値となる。
Ｖｘ＝Ｖｒ×Ｇｒ      ×Ｇｂ  …  （１）
Ｖｙ＝Ｖｗ×Ｇｗ×Ｇａ×Ｇｂ  …  （２）
【００３６】
このように、本実施形態の第１、第２ＡＧＣ４ｃ、５ｃでは、増幅器４７、５７の分だけ、光ディスク再生時の増幅段数よりも記録時の増幅段数の方が１段多く設定されている。従って、振幅Ｖｒ、Ｖｗが大きく異なる場合でも、その差違を増幅器４７、５７の増幅分で補填することができるので、ＧＣＡ４１、５１の利得制御量を抑えることが可能となる。
【００３７】
また、本実施形態の第１、第２ＡＧＣ４ｃ、５ｃにおいて、増幅器４８、５８は、ＤＥＴ４２、５２に入力されるループ信号の振幅Ｖｘ、Ｖｙを共に所定オーダー（一般には１［Ｖ］オーダー）とするための調整用増幅器である。例えば、Ｖｒ＝０．１［Ｖ］オーダー、Ｖｗ＝０．０１［Ｖ］オーダーである場合、Ｇａ＝Ｇｂ＝２０［ｄＢ］（増幅率１０倍）とすることで、ＤＥＴ４２、５２への入力信号振幅Ｖｘ、Ｖｙを次のように調整することができる。
Ｖｘ＝０．１  ［Ｖ］×Ｇｒ            ×１０［倍］＝１［Ｖ］×Ｇｒ
Ｖｙ＝０．０１［Ｖ］×Ｇｗ×１０［倍］×１０［倍］＝１［Ｖ］×Ｇｗ
このようなオーダー調整を行うことによって、ＤＥＴ４２、５２によるＧＣＡ４１、５１の自動利得制御をスムーズに行うことが可能となる。
【００３８】
また、本実施形態のウォブル信号検出回路において、第３ＡＧＣ８ｃを構成するＧＣＡ８１は、前出の第１、第２実施形態と異なり、二入力端子を有する差動入力型とされており、該ＧＣＡ８１の後段にはバンドパスフィルタ８３（以下、ＢＰＦ８３と呼ぶ）が設けられている。そして、ＤＥＴ８２にはＢＰＦ８３の出力信号がフィードバック入力される。このように、前出の差動増幅器６とＢＰＦ７を第３ＡＧＣ８ｃに一元化することにより、回路規模の縮小やそれに伴うコストダウンを図ることが可能となる。
【００３９】
【発明の効果】
上記したように、本発明に係るウォブル信号検出回路は、プリグルーブが形成された光ディスクの再生時及び記録時、ピックアップで検出された前記プリグルーブ左右の反射光が分割受光信号として入力され、前記光ディスクの再生時には前記分割受光信号を各々そのまま出力し、記録時は前記分割受光信号を各々サンプルホールドして出力するサンプルホールド回路と、該サンプルホールド回路を経て入力される分割受光信号各々の振幅調整をそれぞれ行う第１及び第２の自動利得制御回路と、該第１及び第２の自動利得制御回路を経てそれぞれ入力される分割受光信号の差分を算出して前記プリグルーブに記録されたウォブル信号を検出する減算器と、を有して成るウォブル信号検出回路において、前記第１及び第２の自動利得制御回路は、利得制御信号に応じた利得で入力された分割受光信号を増幅する利得制御増幅器と、該利得制御増幅器で得られる増幅信号の振幅が所定レベルとなるように前記利得制御信号を生成する検出器と、前記利得制御増幅器の出力に一端が接続され、前記増幅信号に含まれる信号成分のうち、前記光ディスクの記録再生状態に応じた帯域成分のみを前記検出器に選択通過させる帯域可変フィルタと、をそれぞれ有して成る構成としている。
【００４０】
このように、光ディスクの再生時だけでなく、記録時にも分割受光信号の自動利得制御を行う構成であれば、ピックアップのレンズずれ等が生じて分割受光信号の振幅に差が生じた場合でも、自動利得制御回路でその振幅差を是正することが可能となる。従って、減算器におけるサンプリングノイズの相殺効率を向上することができる上、該振幅差に依存したウォブル信号の振幅ばらつきを軽減することも可能となる。また、記録済みの光ディスクに新データを上書きする場合でも、分割受光信号に重畳する旧データの残存高周波信号を減算器で精度良く相殺することができるようになるので、ウォブル信号の再生性能を向上することが可能となる。また、上記構成であれば、光ディスクの再生時に帯域可変フィルタをハイパスフィルタとして機能させた場合でも、減算器に入力される増幅信号から検出すべきウォブル信号が除かれてしまうおそれはない。さらに、上記構成であれば、帯域可変フィルタのカットオフ周波数を２倍、３倍、…、ｎ倍することで２倍速、３倍速、…、ｎ倍速の記録／再生にも容易に対応することができる。
【００４１】
また、本発明に係るウォブル信号検出回路は、プリグルーブが形成された光ディスクから検出された前記プリグルーブ左右の反射光から得られる分割受光信号の振幅調整をそれぞれ行う第１及び第２の自動利得制御回路と、該第１及び第２の自動利得制御回路を経てそれぞれ入力される分割受光信号の差分を算出して前記プリグルーブに記録されたウォブル信号を検出する減算器と、を有して成るウォブル信号検出回路において、前記第１及び第２の自動利得制御回路は、利得制御信号に応じた利得で入力された分割受光信号を増幅する利得制御増幅器と、該利得制御増幅器で得られる増幅信号の振幅が所定レベルとなるように前記利得制御信号を生成する検出器と、前記利得制御増幅器の出力と前記減算器の入力を結ぶ信号経路上に設けられたローパスフィルタと、一端が前記利得制御増幅器の出力に接続されたハイパスフィルタと、前記光ディスクの記録再生状態に応じて前記ローパスフィルタと前記ハイパスフィルタの出力信号いずれかを前記検出器に送出する切換器と、をそれぞれ有して成る構成としている。
【００４２】
このような構成とすることにより、上記効果に加えて、光ディスクの再生時及び記録時の双方において、減算器の前段で、上記自動利得制御によって最適に振幅調整された利得制御増幅器の出力信号から不要信号成分（再生周波数信号やサンプリングノイズ）を除去しておくことができるようになる。従って、ウォブル信号の再生性能を一層向上することが可能となる。
【００４３】
なお、上記構成から成るウォブル信号検出回路において、前記第１及び第２の自動利得制御回路は、前記利得制御増幅器の出力と前記ハイパスフィルタの入力との接続ノードから前記ローパスフィルタの入力までの信号経路上に増幅器を有して成る構成にするとよい。このような構成とすることにより、光ディスクの再生時と記録時で分割受光信号の振幅が大きく異なる場合でも、その差違を前記増幅器の増幅分で補填することができるので、利得制御増幅器の利得制御量を抑えることが可能となる。
【００４４】
また、上記構成から成るウォブル信号検出回路において、前記第１及び第２の自動利得制御回路は、前記切換器の出力から前記検出器の入力までの信号経路上にも増幅器を有して成る構成にするとよい。このような構成とすることにより、検出器への入力信号振幅を光ディスクの再生時と記録時で共に所定オーダーとすることができるようになるので、検出器による利得制御増幅器の自動利得制御をスムーズに行うことが可能となる。
【００４５】
また、本発明に係る光ディスク装置は、光ディスクのプリグルーブに記録されたウォブル信号を検出する手段として、上記構成から成るウォブル信号検出回路を有して成る構成としている。このような構成とすることにより、ピックアップのトラッキング制御や光ディスクの回転速度制御、並びに記録面上の絶対アドレス認識を高精度に行うことができるようになるので、光ディスクの記録再生性能を向上することが可能となる。
【図面の簡単な説明】
【図１】ウォブル信号検出回路の第１実施形態を示すブロック図である。
【図２】ウォブル信号検出回路の各部信号を示す波形図である。
【図３】ウォブル信号検出回路の第２実施形態を示すブロック図である。
【図４】ウォブル信号検出回路の第３実施形態を示すブロック図である。
【図５】従来のウォブル信号検出回路の各部信号を示す波形図である。
【符号の説明】
１    サンプルホールド回路
２、３    第１、第２加算器
４ａ〜４ｃ、５ａ〜５ｃ    第１、第２自動利得制御回路
４１、５１    利得制御増幅器（ＧＣＡ）
４２、５２    検出器（ＤＥＴ）
４３、５３    帯域可変フィルタ
４４、５４    ローパスフィルタ（ＬＰＦ）
４５、５５    ハイパスフィルタ（ＨＰＦ）
４６、５６    切換器
４７、４８、５７、５８    アンプ
６    差動増幅器
７    バンドパスフィルタ（ＢＰＦ）
８ａ〜８ｃ    第３自動利得制御回路（第３ＡＧＣ）
８１    利得制御増幅器（ＧＣＡ）
８２    検出器（ＤＥＴ）
８３    バンドパスフィルタ（ＢＰＦ）
【図１】
2004259337.tif 000003
【図２】
2004259337.tif 000004
【図３】
2004259337.tif 000005
【図４】
2004259337.tif 000006
【図５】
2004259337.tif 000007